(57)【要約】【目的】本発明は、配線の先端に固定し、先端部をネジ締型端子台の勘合部に挿入してネジ締めする圧着端子に関し、配線の先端に固定する圧着端子の先端部をＶ字構造（あるいはＵ字構造）あるいは更に一方を若干短くし、当該先端部を閉めた状態で勘合部に挿入して仮締状態にしルーティング処理等を行った後に、ネジで本締めすることにより、配線の先端に固定した圧着端子を勘合部に仮締めしてルーティング処理等の作業性を向上させることを目的とする。【構成】  記先端部は、弾性のある複数の導電体でかつ、各々の先端部の先端が異なる方向を向く位置で保持可能であることを特徴とする圧着端子である。【選択図】        図１
2006277994.tif 000002
【特許請求の範囲】
【請求項１】
先端部をネジ締型端子台の勘合部に挿入してネジ締めによる固定を行う圧着端子であって、
前記先端部は、弾性のある複数の導電体でかつ、各々の先端部の先端が異なる方向を向く位置で保持可能であることを特徴とする圧着端子。
【請求項２】
前記先端部は、各々の長さが異なることを特徴とする請求項１記載の圧着端子。
【請求項３】
前記先端部は、先端が内側に折り曲げられていることを特徴とする請求項１あるいは請求項２記載の圧着端子。
【発明の詳細な説明】
【技術分野】
【０００１】
本発明は、先端部をネジ締型端子台の勘合部に挿入してネジ締めによる固定を行う圧着端子に関するものである。
【背景技術】
【０００２】
従来、図３に示すように、複数の通信線などの配線の先端にそれぞれ圧着端子を固定し、当該それぞれの圧着端子をネジ締型端子台１１のそれぞれの挿入口（勘合部１２）に挿入し、ネジで強い接触圧で固定することが行われている。この際、複数の配線の先端に固定された圧着端子は、まず、棒状あるいは板状の先端部をネジ締型端子台１１のそれぞれの挿入口（勘合部１２）に入れて軽くネジ締めを一通り行い（仮締めを行い）、次に、全体のルーティング処理等（予余処理等）が完了した後、最後に、ネジ締めをきちんと行う（増し締めを行う）やり方が一般的である。以下図３の従来技術を簡単に説明する。
【０００３】
図３は、従来技術の説明図を示す。
図３の（ａ）は、複数の挿入口（勘合部１２）を持つネジ締型端子台の斜視図の写真を示し、図３の（ｂ）は１つの勘合部１２の部分の側面断面図を示す。
【０００４】
図３において、（ｂ）に示すように、線に固定した圧着端子の先端部（あるいは線自体）を勘合部１２に挿入し、上側に位置するネジ１３を作業者がドライバで回して下方向に移動させて先端部を仮締め、更に、本締めしていた。
【発明の開示】
【発明が解決しようとする課題】
【０００５】
上述した図３の従来の線の先端に固定した圧着端子では、勘合部１２に挿入された当該圧着端子の先端の板状あるいは棒状の部分をネジ締めによる圧力によって行っていたため、仮締めが困難であり、全体のルーティング処理等のときに抜けたりなどして作業性が悪いという問題があった。特に、勘合部が下向きの場合には、複数の圧着端子の先端部の板状あるいは棒状の部分を勘合部１２に挿入してネジ１３で仮締めした状態で、全体のルーティング処理等を行うときに容易に抜けてしまい、作業性が極めて悪いという問題があった。
【０００６】
また、従来のネジ締型端子台は、ネジの部分に座金のような反発力を生み出し仮締め状態のときに勘合強度を増す構造もなく、作業性が悪いという問題があった。
【課題を解決するための手段】
【０００７】
本発明は、これらの問題を解決するため、配線の先端に固定する圧着端子の先端部をＶ字構造（あるいはＵ字構造）あるいは更に一方を若干短くし、当該先端部を閉めた状態で勘合部に挿入して仮締状態にしルーティング処理等を行った後に、ネジで本締めするようにしている。
【発明の効果】
【０００８】
本発明は、配線の先端に固定する圧着端子の先端部をＶ字構造（あるいはＵ字構造）あるいは更に一方を若干短くし、当該先端部を閉めた状態で勘合部に挿入して仮締状態にしルーティング処理等を行った後に、ネジで本締めすることにより、配線の先端に固定した圧着端子を勘合部に仮締めしてルーティング処理等の作業性を向上させることが可能となる。
【発明を実施するための最良の形態】
【０００９】
本発明は、配線の先端に固定する圧着端子の先端部をＶ字構造（あるいはＵ字構造）あるいは更に一方を若干短くし、当該先端部を閉めた状態で勘合部に挿入して仮締状態にしルーティング処理等を行った後に、ネジで本締めし、配線の先端に固定した圧着端子を勘合部に仮締めしてルーティング処理等の作業性の向上を実現した。
【実施例１】
【００１０】
図１は、本発明の実施例説明図を示す。
図１の（ａ）は、圧着端子１の先端部２をＶ字型にした例を示す。
【００１１】
図１の（ａ−１）は、圧着端子１の先端部２が使用前に閉じた状態となっている様子を模式的に示す。これは、圧着端子１の先端部２が使用前は閉じた状態で保管などし、使用直前に作業者が指で開いて図１の（ａ−２）のようにする実施例の場合を示す。最初から図１の（ａ−２）のように圧着端子１の先端部２が開いている場合には、当該図１の（ａ−１）の状態は無い。
【００１２】
図１の（ａ−２）は、圧着端子１の先端部２が開いた状態となっている様子を示す。
図１の（ａ−３）は、仮締め状態の様子を示す。これは、図１の（ａ−２）に示す圧着端子１の先端部２のＶ字型に開いた部分を、作業者が指で閉じた状態にして、ネジ締型端子台１１の勘合部１２に挿入し、当該先端部２のＶ字型の先端が開いて当該勘合部１２の内面に接触し、仮締め状態となった様子を示す。この仮締め状態では、圧着端子１の先端部２はネジ締型端子台１１に仮に固定されており、当該圧着端子１を固定した図示外の配線について、全体のルーティング処理等（余長処理等）を行っても当該圧着端子１の先端部２が勘合部１２に仮締めされており、簡単には抜けたりしないようになっているので当該全体のルーティング処理等を迅速かつ簡易に行うことが可能となる。
【００１３】
図１の（ａ−４）は、ネジで本締めした状態の様子を示す。この本締めの状態では、作業者がドライバでネジ１３を回して当該ネジ１３の先端を、ここでは、上から下方向に締め付けて圧着端子１の先端部２を勘合部１２に強固かつ導電性良好に固定することが可能となる。
【００１４】
以上のように、図１の（ａ−２）に示す、図示外の配線２１に固定した圧着端子１の先端部２の開いたＶ字型の部分を、作業者が指で閉じてネジ締型端子台１１の勘合部１２に挿入して離すことで図１の（ａ−３）に示す、圧着端子１の先端部２が勘合部１２に仮締め状態になるので、当該圧着端子１に固定した図示外の配線２１の全体のルーティング処理等を行っても仮締めされている圧着端子１の先端部２が抜けたりすることが無く、当該ルーティング処理等を容易かつ迅速に行うことが可能となる。そして、ルーティング処理等の作業を終了した後、図１の（ａ−４）に示すように、作業者がドライバでネジ１３を回し当該ネジ１３の先端で圧着端子１の先端部２を勘合部１２に強固かつ導電性良好に固定することが可能となる。
【００１５】
図１の（ｂ）は、圧着端子１の先端部２の２つの片について長片／短片とした例を示す。
【００１６】
図１の（ｂ−１）は、圧着端子１の先端部２が使用前に閉じた状態となっている様子を模式的に示す。これは、圧着端子１の先端部２が使用前は閉じた状態で保管などし、使用直前に作業者が指で開いて図１の（ｂ−２）のようにする実施例の場合を示す。最初から図１の（ｂ−２）のように圧着端子１の先端部２が開いている場合には、当該図１の（ｂ−１）の状態は無い。
【００１７】
図１の（ｂ−２）は、圧着端子１の先端部２が開いた状態となっている様子を示す。この状態では、一方の片が長く、他方の片が短く、ネジ締型端子台１１の勘合部１２に挿入し易くなっている。
【００１８】
図１の（ｂ−３）は、挿入しつつあるときの状態の様子を示す。これは、作業者が、図１の（ｂ−２）に示す圧着端子１の先端部２のＶ字型に開いた部分の長い片、ここでは、下側の長い片を、ネジ締型端子台１１の勘合部１２の下側に接触かつ若干、下方向に力を加えて挿入しようとする状態を示す。圧着端子１の先端部２のＶ字型に開いた片の、ここでは、下側の片を若干長くしたことで、作業者は当該長い片の部分を、勘合部１２の下側に接触させて下方向に力を加えることで、先端部２の上側の短い片が勘合部１２のガイド部に沿って挿入されるように図示のように位置付けることが可能となる。
【００１９】
図１の（ｂ−４）は、仮締め状態の様子を示す。これは、図１の（ｂ−３）の状態で、作業者が圧着端子１の先端部２を更に、ここでは、右方向に押し込むことで、当該先端部２のＶ字型の先端が開いて当該勘合部１２の内面に接触し、仮締め状態となった様子を示す。この仮締め状態では、圧着端子１の先端部２はネジ締型端子台１１に仮に固定されており、当該圧着端子１を固定した図示外の配線２１について、全体のルーティング処理等（余長処理等）を行っても当該圧着端子１の先端部２が勘合部１２に仮締めされており、簡単には抜けたりしないようになっているので当該全体のルーティング処理等を迅速かつ簡易に行うことが可能となる。
【００２０】
図１の（ｂ−５）は、ネジで本締めした状態の様子を示す。この本締めの状態では、作業者がドライバでネジ１３を回して当該ネジ１３の先端を、ここでは、上から下方向に締め付けて圧着端子１の先端部２を勘合部１２に強固かつ導電性良好に固定することが可能となる。
【００２１】
以上のように、図１の（ａ−２）に示す、図示外の配線２１に固定した圧着端子１の先端部２の開いたＶ字型の部分の長い片、ここでは、下側の片を、作業者がネジ締型端子台１１の勘合部１２に少し挿入して下方向に力を加えることで図１の（ｂ−３）に示す、圧着端子１の先端部２の長い下の片を勘合部１２に挿入かつ短い片を勘合部１２のガイド部に位置付け、更に、作業者が圧着端子１の先端部２を右方向に挿入すると図３の（ｂ−４）の仮締め状態になるので、当該圧着端子１に固定した図示外の配線２１の全体のルーティング処理等を行っても仮締めされている圧着端子１の先端部２が抜けたりすることが無く、当該ルーティング処理等を容易かつ迅速に行うことが可能となる。そして、ルーティング処理等の作業を終了した後、図１の（ｂ−５）に示すように、作業者がドライバでネジ１３を回し当該ネジ１３の先端で圧着端子１の先端部２を勘合部１２に強固かつ導電性良好に固定することが可能となる。
【００２２】
図１の（ｃ）は、圧着端子１のＶ字型に開いた先端部２を内側に折曲した様子を示す。図示のように、圧着端子１のＶ字型に開いた先端部２を内側に折曲することにより、当該圧着端子１のＶ字型に開いた先端部２を、ネジ締型端子台１１の勘合部１２に容易に挿入されるようにガイドすることが可能となる。
【００２３】
図２は、本発明の説明図を示す。これは、既述した図１の（ａ）の圧着端子１の先端部２がＶ字型に開いた状態で、ネジ締型端子台１１の勘合部１２に挿入するとき、および挿入後のＶ字型の先端部２による仮締めを説明したものである。
【００２４】
図２の（ａ）は、配線２１に圧着端子１を取り付けて、ネジ締型端子台１１の勘合部１２に挿入する直前の状態を模式的に示す。図示の状態では、圧着端子１の固定部３が配線２１に固定され、当該圧着端子１の先端部２が図示のように、Ｖ字型に開いている。この状態で、作業者が指の力で、Ｖ字型に開いている先端部２を閉め、ネジ締型端子台１１の勘合部１２の穴に挿入できるようにする。そして、作業者が、圧着端子１の先端部２を、ここでは、右方向に挿入して、ネジ締型端子台１１の勘合部１２に挿入し、図２の（ｂ）のようにする。
【００２５】
図２の（ｂ）は、圧着端子１のＶ字型の先端部２を閉めてネジ締型端子台１１の勘合部１２の内部に挿入し、当該Ｖ字型の先端部２が開いて当該勘合部１２の内面に接触し、仮締め状態となっている様子を示す。この仮締め状態では、圧着端子１のＶ字型の先端部２が反発力で開いて勘合部１２の内面に接して仮締めしているため、圧着端子１の左側の固定された配線２１について、全体のルーティング処理等の作業を行っても抜けることがなく、迅速に当該全体のルーティング処理等の作業を行うことが可能となる。そして、全体のルーティング処理等の作業終了後に、ネジ締型端子台１１のネジ１３を作業者がドライバで回して当該ネジ１３の先端の部分で、圧着端子１のＶ字型の先端部２を強固かつ導電性良好に固定する。
【００２６】
尚、圧着端子１の先端部２について、Ｖ字型に開いた例を説明したが、Ｕ字型に開いた先端部２でもよく、先端部２の更にその先端が開いて当該先端でネジ締型端子台１１の勘合部１２のできるだけ奥で開いて当該勘合部１２の内面で仮締めできる形状であれば、他の形状であってもよい。また、先端部２のＶ字型に開いた片は、薄い板状あるいは棒を半分に分割した半円形状などであってもよい。
【産業上の利用可能性】
【００２７】
本発明は、配線の先端に固定する圧着端子の先端部をＶ字構造（あるいはＵ字構造）あるいは更に一方を若干短くし、当該先端部を閉めた状態で勘合部に挿入して仮締状態にしルーティング処理等を行った後に、ネジで本締めし、配線の先端に固定した圧着端子を勘合部に仮締めしてルーティング処理等の作業性の向上を図ることが可能となる。
【図面の簡単な説明】
【００２８】
【図１】本発明の実施例説明図である。
【図２】本発明の説明図である。
【図３】従来技術の説明図（ネジ締型端子台）である。
【符号の説明】
【００２９】
１：圧着端子
２：先端部
３：固定部
４：カバー（絶縁性）
１１：ネジ締型端子台
１２：勘合部
１３：ネジ
２１：配線
【図１】
2006277994.tif 000003
【図２】
2006277994.tif 000004
【図３】
2006277994.tif 000005